(57)【要約】【課題】耳介の姿勢を変更したまま安定させることができ、かつ、ユーザが優れた装着感を得られる聴覚補助器を提供する。【解決手段】聴覚補助器１は、線状に形成されそれぞれの前方の部分で互いに接続された保持部３と付勢部５とを備える。保持部３が耳介側頭溝近傍部に配置されることで、聴覚補助器１はユーザの外耳部に装着される。付勢部５は、２つの当接部７ａ，７ｂ及び２つの谷部９ａ，９ｂなどで構成される波形状部を有する。聴覚補助器１は、保持部３が耳介に装着された状態で、当接部７ａ，７ｂの２点により耳介を前方に押し出すことにより、聴覚を向上させるように耳介を付勢する。耳介と聴覚補助器１との接触面積が小さく、耳介からの放熱にほとんど影響がない。また、耳介は複数の当接部７ａ，７ｂで付勢されるので、耳介の姿勢は安定する。【選択図】図２
0003164048.tif 000002
【実用新案登録請求の範囲】
【請求項１】
線状に形成され耳介の耳介側頭溝近傍部に配置される保持部と、
波形状部を有する線状に形成され前記保持部の一部から突出する付勢部とを備え、
前記付勢部は、前記波形状部の一部であって前記保持部が耳介に配置された状態で耳介の裏面に当接し得る当接部を複数有する、聴覚補助器。
【請求項２】
前記複数の当接部は、耳介の裏面のうち上下に互いに異なる箇所にそれぞれ当接し得るように複数設けられている、請求項１に記載の聴覚補助器。
【請求項３】
前記付勢部は、弾性を有し、かつ、塑性変形可能である、請求項１又は２に記載の聴覚補助器。
【請求項４】
前記保持部は、耳介の基部に沿うように弓状に湾曲して形成されており、上方から耳介の基部に引っ掛けるようにして耳介の基部に配置可能である、請求項１から３のいずれかに記載の聴覚補助器。
【請求項５】
前記付勢部は、その複数箇所が前記保持部に結合されている、請求項１から４のいずれかに記載の聴覚補助器。
【請求項６】
請求項１から５のいずれかに記載の聴覚補助器を有し、
前記保持部が、そのモダン部分に設けられている、眼鏡。
【考案の詳細な説明】
【技術分野】
【０００１】
この考案は、聴覚補助器及びそれを有する眼鏡に関し、特に、耳介側頭溝近傍部に装着することで耳介の姿勢を変更できる聴覚補助器及びそれを有する眼鏡に関する。
【背景技術】
【０００２】
従来、聴覚を向上させるために用いられる聴覚補助器としては、種々のものが用いられている。このような聴覚補助器としては、耳介の姿勢を変更させることで聴覚の向上を図るものが知られている。
【０００３】
下記特許文献１には、耳介に棒状突起を当てることにより耳介の向きを変更する聴力増強器具が開示されている。この聴力増強器具は、眼鏡のフレームなどに接続させたり耳の根本部分に引っ掛けたりして装着する器具であって、耳の裏側にその棒状突起部分を当てることにより耳の向きを変更させるものである。この器具を用いることにより、耳の後部が前方に押し出され、前方向からの音が聞きやすくなる。特許文献１には、棒状突起部分は曲げることができ、各々の耳の形状に適合可能である旨が記載されている。
【先行技術文献】
【特許文献】
【０００４】
【特許文献１】特開２００９−１１９２２７号公報
【考案の概要】
【考案が解決しようとする課題】
【０００５】
ところで、上記の特許文献１に記載されている器具では、棒状突起が耳介の一部分にのみ接触して耳介を付勢するところ、耳介の向きを変更させたまま安定させることができない場合がある。また、耳介の一部分にのみ器具が接触するため、良好な装着感をユーザが得られない場合がある。
【０００６】
この考案はそのような問題点を解決するためになされたものであり、耳介の姿勢を変更したまま安定させることができ、かつ、ユーザが優れた装着感を得られる聴覚補助器及びそれを有する眼鏡を提供することを目的としている。
【課題を解決するための手段】
【０００７】
上記目的を達成するためこの考案のある局面に従うと、聴覚補助器は、線状に形成され耳介の耳介側頭溝近傍部に配置される保持部と、波形状部を有する線状に形成され保持部の一部から突出する付勢部とを備え、付勢部は、波形状部の一部であって保持部が耳介に配置された状態で耳介の裏面に当接し得る当接部を複数有する。
【０００８】
好ましくは複数の当接部は、耳介の裏面のうち上下に互いに異なる箇所にそれぞれ当接し得るように複数設けられている。
【０００９】
好ましくは付勢部は、弾性を有し、かつ、塑性変形可能である。
【００１０】
好ましくは保持部は、耳介の基部に沿うように弓状に湾曲して形成されており、上方から耳介の基部に引っ掛けるようにして耳介の基部に配置可能である。
【００１１】
好ましくは付勢部は、その複数箇所が保持部に結合されている。
【００１２】
この考案の他の局面に従うと、眼鏡は、上述のいずれかに記載の聴覚補助器を有し、保持部が、そのモダン部分に設けられている。
【考案の効果】
【００１３】
これらの考案に従うと、聴覚補助器を装着したとき、複数の当接部が、耳介の裏面に当接し得る。したがって、耳介の姿勢を変更したまま安定させることができ、かつ、ユーザが優れた装着感を得られる聴覚補助器及びそれを有する眼鏡を提供することができる。
【図面の簡単な説明】
【００１４】
【図１】ユーザの左前側上方から見下ろした、本考案の第１の実施の形態における聴覚補助器を示す斜視図である。
【図２】ユーザの左後側上方から見下ろした聴覚補助器を示す斜視図である。
【図３】聴覚補助器の左側面図である。
【図４】聴覚補助器の正面図である。
【図５】聴覚補助器の平面図である。
【図６】ユーザの左後側上方から見下ろした、第２の実施の形態における聴覚補助器を示す斜視図である。
【図７】第３の実施の形態に係る聴覚補助器を示す側面図である。
【図８】第４の実施の形態に係る聴覚補助器を示す側面図である。
【図９】第５の実施の形態に係る眼鏡を示す斜視図である。
【図１０】眼鏡を示す正面図である。
【図１１】眼鏡を示す平面図である。
【図１２】眼鏡を示す左側面図である。
【図１３】第５の実施の形態の一変型例に係る眼鏡を示す斜視図である。
【考案を実施するための形態】
【００１５】
以下、本考案の実施の形態における聴覚補助器について説明する。
【００１６】
聴覚補助器は、耳介の姿勢を変更させることで聴覚の向上を図るものである。すなわち、聴覚補助器は、聴覚補助器の装着時に、ユーザの非装着時と比較して耳介を前方（ユーザの顔面が向く方向、以下同じ。）に向けて押し出す。これにより、前方から聞こえる音声を耳介で反射して集音する能力を向上させ、聴覚を向上させる。
【００１７】
聴覚補助器は、高齢者や難聴者だけでなく、スポーツ用途や学習用途など、様々な利用シーンで効果的に用いることができる。例えば、スポーツ用途で聴覚補助器を用いることにより、周囲の気配や打球音などをより確実に聞くことができるようになる。人間の聴覚反応の速度は、その視覚反応の速度よりも明らかに高いので、聴覚補助器は、スポーツ等により優れた効果があると考えられる。また、講義を聴くときなど、学習用途に用いることにより、より確実に演者の声などを聴取することができるようになる。
【００１８】
以下の第１〜第４の実施の形態の説明において、ユーザの左側の外耳部分に装着されて用いられる聴覚補助器、すなわち左側用の聴覚補助器について図に示して説明する。右側用の聴覚補助器は、左側用の聴覚補助器の構造と左右対称の構造を有している。
【００１９】
［第１の実施の形態］
【００２０】
図１は、ユーザの左前側上方から見下ろした、本考案の第１の実施の形態における聴覚補助器１を示す斜視図である。また、図２は、ユーザの左後側上方から見下ろした聴覚補助器１を示す斜視図である。
【００２１】
以下に説明する図において、２点鎖線の位置はユーザの耳介（耳殻）の位置の一例を示し、矢印Ｆはユーザの前方を指す。
【００２２】
図を参照して、聴覚補助器１は、大まかに、保持部３と付勢部５とを備える。保持部と付勢部５とは、それぞれ線状に形成された部材であって、それぞれの前方の部分で互いに接続されている。すなわち、聴覚補助器１は、保持部３と付勢部５との二股（ふたまた）構造を有している。付勢部５は、２つの当接部７ａ，７ｂ及び２つの谷部９ａ，９ｂを有している。
【００２３】
図３は、聴覚補助器１の左側面図である。
【００２４】
図を参照して、保持部３は、耳介の耳介側頭溝近傍部に沿うような略半楕円弧状の線状に形成されている。換言すると、保持部３は、耳介の基部に沿うように弓状に湾曲して形成されている。保持部３が耳介の耳介側頭溝近傍部に配置されることで、聴覚補助器１はユーザの外耳部に装着される。このとき、保持部３は、耳介の基部に引っ掛けるようにして耳介の基部に配置可能である。保持部３は、付勢部５よりも高い剛性を有するように、例えば太く形成されているが、これに限られるものではない。
【００２５】
図４は、聴覚補助器１の正面図である。
【００２６】
図において、一点鎖線は、ユーザの頭部の左側面を示す。図を参照して、付勢部５は、波形状部を有する線状に形成されている。付勢部５は、その上方の端部で保持部３の前方部分（保持部３の一部の一例）に接続されている。すなわち、付勢部５は、保持部３の一部から突出している。付勢部５は、保持部３に接続されている部分からユーザの側方に突出し、耳介の裏面（背面）に沿うようにして下方に伸びている。付勢部５の下方の端部は、例えば、耳介の耳たぶ近傍まで達している。
【００２７】
付勢部５は、２つの当接部７ａ，７ｂ及び２つの谷部９ａ，９ｂを有している。付勢部５において、保持部３に接続されている端部から順に、当接部７ａ、谷部９ａ、当接部７ｂ、谷部９ｂが連なって設けられることで、波形状部が構成されている。すなわち、当接部７ａ，７ｂ及び谷部９ａ，９ｂは、波形状部の一部を構成する。当接部７ａ，７ｂは、保持部３が耳介に配置された状態で、耳介の裏面に向け、すなわち左前方に向けて凸となるように形成されている。当接部７ａ，７ｂは、保持部３が耳介に配置された状態で、それらの凸部が耳介の裏面に当接し得るように配置されている。当接部７ａ，７ｂは、谷部９ａを挟み、互いに上下に並んでいる。すなわち、当接部７ａ，７ｂは、耳介の裏面のうち上下に互いに異なる箇所にそれぞれ当接し得る。
【００２８】
図５は、聴覚補助器１の平面図である。
【００２９】
図を参照して、一点鎖線は、ユーザの頭部の左側面を示す。図を参照して、聴覚補助器１は、保持部３が耳介（外耳）に装着された状態で、当接部７ａ，７ｂにより耳介を前方に押し出すことにより、聴覚を向上させるように耳介を付勢する。すなわち、聴覚補助器１が装着された状態において、保持部３が耳介側頭溝近傍部に配置され、それ以上ユーザの頭部側に大きく変位しないように支持されている。このとき、当接部７ａ，７ｂがユーザの耳介の裏面に接触して、耳介により後右方に変位するように付勢されることで、付勢部５が保持部３に支持されたままで変形する。付勢部５は弾性を有しているため、弾性変形することで復元力を生じ、図に矢印Ａで示すように、耳介を左前方に押し返す。したがって、耳介は、当接部７ａ，７ｂにより付勢され、耳介が聴覚補助器１が装着されていないときの姿勢に戻ろうとする力と付勢部５の復元力とが釣り合う状態で静止する。聴覚補助器１が装着されていないときと比較して、耳介は、図の矢印Ｂに示すように、ユーザの頭部の左前方に向けてユーザの頭部から起立する。
【００３０】
ここで、聴覚補助器１は、例えば、針状の金属を芯材としてその周囲をシリコンゴムなどの樹脂で覆った一体の構造を有している。すなわち、保持部３及び付勢部５は、それぞれ弾性を有している。聴覚補助器１の芯材は、いわゆる形状記憶合金であり、付勢部５が上述のような波形状になるように、その形状が記憶されている。
【００３１】
ユーザは、自身の外耳の形状や耳介を起立させたい程度に合わせて、付勢部５を塑性変形させ、聴覚補助器１を使用することができる。また、ユーザは、聴覚補助器１の適切な装着感を得られるように付勢部５を塑性変形させて、聴覚補助器１を用いることができる。このとき、ユーザは、谷部９ａ，９ｂを摘んで付勢部５を変形させることにより、付勢部５が全体として波形状を保つようにしたまま、容易に、当接部７ａ，７ｂの位置を変更することができる。また、複数の当接部７ａ，７ｂが設けられているので、ユーザは、それらそれぞれの位置を変更することにより、耳介が所望の姿勢になるように、容易に調節することができる。
【００３２】
付勢部５を変形させすぎたときには、ユーザは、聴覚補助器１を加熱することにより、容易に記憶されている形状に復元することができる。ユーザは、保持部３の形状も付勢部５の形状と同様に調節してもよい。
【００３３】
聴覚補助器１に用いられる形状記憶合金は、ユーザの外耳などから伝わった熱により、記憶している形状に回復するものであってもよい。このとき、聴覚補助器１の装着時に、ユーザは聴覚補助器１を装着しやすい形状に変形させたうえで聴覚補助器１を装着できる。装着してから時間が経過し、耳介などから熱が伝わると、聴覚補助器１の形状が外耳を付勢する形状に回復するので、耳介を起立させることができる。
【００３４】
なお、聴覚補助器１は、形状記憶合金を用いていなくてもよい。例えば、聴覚補助器１は、芯材として鉄製の針金などを用いて、それにより付勢部５が弾性を有し塑性変形可能に構成されていてもよい。聴覚補助器１は、非金属製の芯材を用いて構成されていたり、例えば合成樹脂やゴムなどの単一の材料を用いて形成されていたりしてもよい。また、聴覚補助器１は、保持部３と付勢部５とが一体に成形されているものでなくてもよく、例えば、互いに独立して成形された保持部３と付勢部５とが接着剤を用いて接合されたりねじなどの接合部材を用いて接合されたりして形成されていてもよい。
【００３５】
このように、本実施の形態では、聴覚補助器１が波打った線状部分を有しており、そのうち前方に向かって凸となる２つの当接部７ａ，７ｂが耳介に当接することで耳介が前方に押し出される。したがって、耳介の姿勢を変更したまま安定させることができ、聴力を向上させることができる。当接部７ａ，７ｂは上下に並んでいるので、耳介の姿勢はより安定する。
【００３６】
また、聴覚補助器１は線状部材であるため、耳介の裏側に聴覚補助器１が配置されていても、耳介からの放熱が聴覚補助器１により妨げられることがほとんどない。特に、本実施の形態では、耳介の裏面に接触する付勢部５が波形状であり、当接部７ａ，７ｂの２点で耳介に接触するので、耳介と聴覚補助器１との接触面積が小さく、上記耳介からの放熱にほとんど影響がない。すなわち、聴覚補助器１は、耳介の放熱機能を妨げることがないものであり、それを装着しているユーザは、優れた装着感を得ることができる。聴覚補助器１により耳介が前方に押し出されるので、耳介の放熱機能をより向上させることができる。付勢部５の形状は容易に変更することができるので、ユーザは、容易に、耳介の姿勢を調節することができる。
【００３７】
また、聴覚補助器１は、線状部材で形成されているので、軽量であり、ユーザが聴覚補助器１を装着していても聴覚補助器１が目立ちにくい。また、耳介を付勢部５で前方に付勢するのみで、耳介からその外側に大きく張り出すような部分を有しないので、ユーザが聴覚補助器１を装着していても、他のユーザの妨げになることがない。したがって、聴覚補助器１は、特に授業中や講義中においてユーザが利用しやすいものである。聴覚補助器１は、使用するのに電源を要さず、いつでも容易に用いることができる。
【００３８】
［第２の実施の形態］
【００３９】
第２の実施の形態における聴覚補助器は、付勢部と保持部とが互いに２箇所で結合されている点で第１の実施の形態におけるそれとは異なる。聴覚補助器のその他の部分の構成や材質などは第１の実施の形態におけるそれと同様であるため、ここでの説明を繰り返さない。
【００４０】
図６は、ユーザの左後側上方から見下ろした、第２の実施の形態における聴覚補助器１１を示す斜視図である。
【００４１】
図を参照して、聴覚補助器１１は、保持部１３と付勢部１５とを有している。第１の実施の形態と同様に、保持部１３は耳介側頭溝近傍部に掛けられる部位であり、付勢部１５は波形状に形成されている。
【００４２】
第２の実施の形態において、付勢部１５の両端部は、保持部１３に結合されている。付勢部１５の上方の端部は、保持部１３の上方前側部分に接続されている。また、付勢部１５の下方の端部は、保持部１３の下方の端部に接続されている。すなわち、聴覚補助器１１は、保持部１３と付勢部１５とが二股に分かれ、かつ、保持部１３の先端部と付勢部１５の先端部とが接続された形状を有している。聴覚補助器１１は、保持部１３と付勢部１５とで構成される環状部を有している。
【００４３】
聴覚補助器１１は、上述の第１の実施の形態の聴覚補助器１と同様に装着可能なものであり、装着された状態で、ユーザの耳介を前方に押し出す。したがって、第１の実施の形態においても、第１の実施の形態と同様の効果が得られる。
【００４４】
第２の実施の形態では、付勢部１５と保持部１３とが２箇所で結合されているので、付勢部１５が保持部１３によりしっかりと支持され、ユーザの耳介は付勢部１５によってよりしっかりと付勢される。したがって、より確実に耳介の姿勢を変更させることができる。
【００４５】
［第３の実施の形態］
【００４６】
第３の実施の形態における聴覚補助器は、付勢部と保持部とが互いに２箇所で結合されている点及び当接部の数が３つである点で第１の実施の形態におけるそれとは異なる。聴覚補助器のその他の部分の構成や材質などは第１の実施の形態におけるそれと同様であるため、ここでの説明を繰り返さない。
【００４７】
図７は、第３の実施の形態に係る聴覚補助器２１を示す側面図である。
【００４８】
図を参照して、聴覚補助器２１は、保持部３と付勢部２５とを有している。第１の実施の形態と同様に、保持部３は、耳介側頭溝近傍部に掛けられる部位である。
【００４９】
付勢部２５は、３つの当接部７ａ，７ｂ，７ｃと３つの谷部９ａ，９ｂ，９ｃとを有する波形状に形成されている。すなわち、付勢部２５は、３つの部位で耳介を付勢可能である。第１の実施の形態と同様にして付勢部２５の形状が変更可能であるので、耳介の姿勢がより細かく調整され得る。
【００５０】
第３の実施の形態において、付勢部２５の上方の端部は、保持部３の上方前側部分に接続されている。また、付勢部２５のうち一部である谷部９ａが設けられている部分と、保持部３の後側下方部分とは、接続部２３を介して互いに接続されている。すなわち、付勢部２５は、上方の端部で保持部３により支持されているとともに、接続部２３を介して保持部３により支持されている。聴覚補助器２１は、付勢部２５の一部と保持部３とで構成される環状部を有している。
【００５１】
聴覚補助器２１は、上述の第１の実施の形態の聴覚補助器１と同様に装着可能なものであり、装着された状態で、ユーザの耳介を前方に押し出す。したがって、第１の実施の形態においても、第１の実施の形態と同様の効果が得られる。
【００５２】
第３の実施の形態では、付勢部２５が保持部３と２箇所で結合され支持されているので、ユーザの耳介は付勢部２５によってよりしっかりと付勢される。したがって、より確実に耳介の姿勢を調節することができる。
【００５３】
なお、付勢部２５はさらに多くの箇所で保持部３に結合されて支持されていてもよい。また、付勢部２５は、さらに多くの当接部及び谷部を有し、それらの当接部で耳介を付勢可能であってもよい。
【００５４】
［第４の実施の形態］
【００５５】
第４の実施の形態における聴覚補助器は、当接部が他の部分とは異なる素材を用いて形成されている点で第１の実施の形態におけるそれとは異なる。聴覚補助器のその他の部分の構成や材質などは第１の実施の形態におけるそれと同様であるため、ここでの説明を繰り返さない。
【００５６】
図８は、第４の実施の形態に係る聴覚補助器３１を示す側面図である。
【００５７】
図を参照して、聴覚補助器３１は、保持部３と付勢部３５とを有している。第１の実施の形態と同様に、保持部３は、耳介側頭溝近傍部に掛けられる部位である。
【００５８】
付勢部３５は、２つの当接部３７ａ，３７ｂと谷部９ａ，９ｂとを有する波形状に形成されている。当接部３７ａ，３７ｂは、例えば、金属製の素材を用いて形成されている。すなわち、付勢部３５は、金属製の当接部３７ａ，３７ｂを谷部９ａなどで接続して構成されている。
【００５９】
当接部３７ａ，３７ｂは、他の部分と比較してその部分の断面積が大きく、すなわちやや太くなるように形成されており、その部分の体積が比較的大きくなっている。これにより、当接部３７ａ，３７ｂ部分の熱容量が比較的大きくなっている。なお、当接部３７ａ，３７ｂの構成はこれに限られるものではない。
【００６０】
聴覚補助器３１は、上述の第１の実施の形態の聴覚補助器１と同様に装着可能なものであり、装着された状態で、ユーザの耳介を前方に押し出す。したがって、第１の実施の形態においても、第１の実施の形態と同様の効果が得られる。
【００６１】
第４の実施の形態では、耳介に接触する当接部３７ａ，３７ｂとして金属製の素材が用いられており、当接部３７ａ，３７ｂは熱伝導性に優れている。したがって、ユーザの耳介のうち当接部３７ａ，３７ｂに接触する部分の熱が、耳介から当接部３７ａ，３７ｂに移動して当接部３７ａ，３７ｂから放熱されやすくなる。したがって、聴覚補助器３１を線状部材を用いて形成したことも併せ、耳の放熱効果、すなわち耳のラジエータとしての効果をさらに向上させることができ、ユーザの聴覚補助器３１の装着感をより高めることができる。
【００６２】
［第５の実施の形態］
【００６３】
次に、上述のような聴覚補助器が用いられている眼鏡の一例について説明する。
【００６４】
図９は、第５の実施の形態に係る眼鏡１００を示す斜視図である。図１０は、眼鏡１００を示す正面図である。図１１は、眼鏡１００を示す平面図である。図１２は、眼鏡１２を示す左側面図である。
【００６５】
図を参照して、眼鏡１００は、左側の聴覚補助器５１及び右側の聴覚補助器５２のそれぞれが左右のテンプル部の先端に設けられているものである。聴覚補助器５１，５２は、保持部５３と付勢部５とをそれぞれ有する。保持部５３は、眼鏡１００のモダン部分に設けられている。換言すると、眼鏡１００において、保持部５３は、眼鏡１００のモダンとしての役割を果たす。ユーザは、保持部５３を耳介側頭溝近傍部に配置することで、眼鏡１００を装着できる。
【００６６】
付勢部５は、第１の実施の形態と同様に、その上方の端部で聴覚補助器５１，５２の保持部５３の前方部分に接続されている。付勢部５は、第１の実施の形態に係る聴覚補助器１のそれと同様に構成されている。
【００６７】
第５の実施の形態においては、ユーザは、眼鏡１００を掛けることにより、聴覚補助器５１，５２を装着できる。したがって、上述の第１の実施の形態における効果と同様の効果を得ることができる。また、ユーザが眼鏡１００を掛けた状態で、モダンとしての保持部５３のほか、付勢部５が耳介に接触している状態となるので、眼鏡１００がより脱落しにくくなる。
【００６８】
なお、聴覚補助器５１，５２は、眼鏡１００のテンプル部から着脱可能であってもよい。また、聴覚補助器５１，５２のうち付勢部５が保持部３に着脱可能であり、付勢部５を保持部３に取り付けて聴覚補助器付きの眼鏡１００として用いたり、付勢部５を取り外して普通の眼鏡として用いたりすることができるようにしてもよい。また、保持部５３及び付勢部５の両方又は少なくとも一方は、眼鏡１００のテンプル部と一体に形成されていてもよい。
【００６９】
図１３は、第５の実施の形態の一変型例に係る眼鏡２００を示す斜視図である。
【００７０】
図を参照して、眼鏡２００は、左側の聴覚補助器６１と右側の聴覚補助器６２とが、それぞれ左右のテンプル部の先端に設けられているものである。聴覚補助器６１，６２は、保持部６３と付勢部５とをそれぞれ有する。保持部６３は、眼鏡１００のモダン部分に設けられており、ユーザの耳介側頭溝近傍部に配置される。眼鏡２００は、左右の保持部６３同士でユーザの頭部を挟み込むようにして、ユーザに装着される。眼鏡２００において、保持部６３は、眼鏡２００のモダンとしての役割を果たす。
【００７１】
付勢部５の上部は保持部６３の前方部分に接続されている。付勢部５は眼鏡２００の装着時すなわち保持部６３が耳介に配置された状態で耳介を付勢する。したがって、ユーザは、眼鏡２００の装着時に、第５の実施の形態と同様の効果を得ることができる。
【００７２】
［その他］
【００７３】
上記実施の形態は、適宜互いに組み合わせてもよい。例えば金属製の当接部が３つ設けられた付勢部と保持部とが結合された聴覚補助器を用いてもよい。
【００７４】
また、聴覚補助器としては、ユーザの頭部を後ろ側から挟むようにして装着されるものであって、そのうちユーザの耳介側頭溝近傍部に配置される保持部から耳介を付勢するように付勢部が突出するような構造を有するものであってもよい。
【００７５】
なお、上記実施の形態は、すべての点で例示であって制限的なものではないと考えられるべきである。本考案の範囲は上記した説明ではなくて実用新案登録請求の範囲によって示され、実用新案登録請求の範囲と均等の意味及び範囲内でのすべての変更が含まれることが意図される。
【符号の説明】
【００７６】
１，１１，２１，３１，５１，５２，６１，６２  聴覚補助器
３，１３，５３，６３  保持部
５，１５，２５，３５  付勢部
７ａ，７ｂ，７ｃ  当接部
１００，２００  眼鏡
【図１】
0003164048.tif 000003
【図２】
0003164048.tif 000004
【図３】
0003164048.tif 000005
【図４】
0003164048.tif 000006
【図５】
0003164048.tif 000007
【図６】
0003164048.tif 000008
【図７】
0003164048.tif 000009
【図８】
0003164048.tif 000010
【図９】
0003164048.tif 000011
【図１０】
0003164048.tif 000012
【図１１】
0003164048.tif 000013
【図１２】
0003164048.tif 000014
【図１３】
0003164048.tif 000015